(57)【要約】【課題】  灰皿を必要に応じて利用することができ、且つ遊技機前方のスペースを有効利用できる遊技機を提供する。【解決手段】  下扉６ｂの前面を外装カバー１６、１７で構成する。外装カバー１７に切り欠き１７ｂを形成する。この切り欠き１７ｂを覆うように、下扉６ｂに難燃性の素材からなる支持部材１９を取り付ける。支持部材１９に形成された軸受け穴１９ｅに灰皿１８の回動軸１８ｈを挿通させる。灰皿１８を使用する場合には、灰皿１８の摘み部１８ｉを摘み、灰皿１８を回動させる。灰皿１８を使用しない場合には、灰皿１８を切り欠き１７ｂに嵌め込み、灰皿１８を下扉６ｂ内に収容する。このとき、灰皿１８の側壁部１８ａの外面と外装カバー１７の外面とで一連の面が形成される。【選択図】        図１０
2005160964.tif 000002
【特許請求の範囲】
【請求項１】
遊技機本体の前面にて開閉される上扉と下扉とで構成される前面扉と、この前面扉のうち下扉の外面を構成する外装カバーと、灰皿とを備えた遊技機において、
前記外装カバーに、前記灰皿を収納する収納部を設け、
この収納部を、前記灰皿を収納した際に、前記灰皿の使用が不可能となるように形成し、
前記外装カバーの内部に、難燃性の素材からなり、前記灰皿を使用可能な位置と使用不可能な位置との間で移動自在に支持する支持部と、前記灰皿を前記収納部に収納した際に、前記灰皿に形成される開口部を少なくとも覆うカバー部とを備えた支持部材を配置し、
前記灰皿が前記収納部に収納されたときに、前記灰皿の外面のうち外部に露出された面と、前記外装カバーの外面の少なくとも一部とから一連の面が形成されることを特徴とする遊技機。
【請求項２】
前記支持部材は、前記外装カバーと別体で形成されていることを特徴とする請求項１記載の遊技機。
【請求項３】
前記灰皿、及び前記支持部材の前記支持部のいずれか一方に回動軸を設け、他方に前記回動軸を軸支する軸受けを設けたことを特徴とする請求項１又は２記載の遊技機。
【請求項４】
前記灰皿は四方を側壁部で囲われた有底の略直方体形状をなし、この略直方体の上面に前記開口部が形成されて構成されるとともに、この略直方体形状の長手方向で対面する２つの側壁部にそれぞれ前記回動軸が前記長手方向の外方に向かって形成され、
前記支持部材の前記カバー部は、前記灰皿の前記開口部と、前記長手方向で対面する２つの側壁部とを覆うように断面略コ字状部材で形成され、且つ前記カバー部の先端部に形成された前記支持部には、前記回動軸に対応する位置に前記軸受けが形成されていることを特徴とする請求項３記載の遊技機。
【発明の詳細な説明】
【技術分野】
【０００１】
本発明は、パチンコ店などの遊技場に設置して使用されるパチンコ機等の遊技機に関するものである。
【背景技術】
【０００２】
通常、パチンコ機やスロットマシン等に代表される遊技機には灰皿が設けられている。以下、遊技機としてパチンコ機を例に挙げて説明を行う。遊技場（ホール）に設置されるパチンコ機の前面には遊技に用いるパチンコ球を受容する受け皿や遊技の際に操作される操作ハンドルが設けられている。そして、受け皿の側方、あるいは下方には灰皿が常時使用可能な状態で設けられている。
【０００３】
【特許文献１】特開２００２−１１３２２８号公報
【発明の開示】
【発明が解決しようとする課題】
【０００４】
しかしながら、上述したようなパチンコ機では、灰皿が前方に突出しているため、灰皿を利用しない場合には、灰皿が無意味にパチンコ機前方のスペースを占有してしまい、遊技者がそのスペースを有効利用することができないといった問題が生じる。また、灰皿が前方に突出していることで、パチンコ機の見栄えを損ねてしまうといった問題も生じる。さらに、パチンコ機と灰皿とが一体に形成されていると、成形金型の構造が複雑化して製造コストが高くなってしまうという問題も生じる。
【０００５】
本発明は上記問題を解決するためになされたもので、灰皿を必要に応じて利用することができ、且つ遊技機前方のスペースを有効利用できる遊技機を提供することを目的とする。加えて、灰皿の存在によって遊技機の外観が損なわれない遊技機を提供することも本発明の別の目的である。さらに、遊技機部品の製造を容易にし、且つ低コストで実現させることも本発明の目的である
【課題を解決するための手段】
【０００６】
上記目的を達成するために、本発明の遊技機は、遊技機本体の前面にて開閉される上扉と下扉とで構成される前面扉と、この前面扉のうち下扉の外面を構成する外装カバーと、灰皿とを備えたものであり、前記外装カバーに、前記灰皿を収納する収納部を設け、この収納部を、前記灰皿を収納した際に、前記灰皿の使用が不可能となるように形成し、前記外装カバーの内部に、難燃性の素材からなり、前記灰皿を使用可能な位置と使用不可能な位置との間で移動自在に支持する支持部と、前記灰皿を前記収納部に収納した際に、前記灰皿に形成される開口部を少なくとも覆うカバー部とを備えた支持部材を配置し、前記灰皿が前記収納部に収納されたときに、前記灰皿の外面のうち外部に露出された面と、前記外装カバーの外面の少なくとも一部とから一連の面が形成されることを特徴とする。
【０００７】
また、前記支持部材は、前記外装カバーと別体で形成されていることが好ましい。
【０００８】
また、前記灰皿、及び前記支持部材の前記支持部のいずれか一方に回動軸を設け、他方に前記回動軸を軸支する軸受けを設けることが好ましい。
【０００９】
また、前記灰皿は四方を側壁部で囲われた有底の略直方体形状をなし、この略直方体の上面に前記開口部が形成されて構成されるとともに、この略直方体形状の長手方向で対面する２つの側壁部にそれぞれ前記回動軸が前記長手方向の外方に向かって形成され、前記支持部材の前記カバー部は、前記灰皿の前記開口部と、前記長手方向で対面する２つの側壁部とを覆うように断面略コ字状部材で形成され、且つ前記カバー部の先端部に形成された前記支持部には、前記回動軸に対応する位置に前記軸受けが形成されていることが好ましい。
【発明の効果】
【００１０】
本発明の遊技機は、外装カバーに、灰皿を収納する収納部を設け、この収納部を、前記灰皿を収納した際に、前記灰皿の使用が不可能となるように形成し、前記外装カバーの内部に、難燃性の素材からなり、前記灰皿を使用可能な位置と使用不可能な位置との間で移動自在に支持する支持部と、前記灰皿を前記収納部に収納した際に、前記灰皿に形成される開口部を少なくとも覆うカバー部とを備えた支持部材を配置し、前記灰皿が前記収納部に収納されたときに、前記灰皿の外面のうち外部に露出された面と、前記外装カバーの外面の少なくとも一部とから一連の面が形成されるようにしたので、タバコの火の熱によって遊技機を構成している各種部品を損傷させることを未然に防止することができる。また、灰皿を使用不能状態にしたときに遊技機の外観を損ねることがない。また、灰皿を使用しない場合には、パチンコ機前方のスペースが空くので、そのスペースを有効利用することができる。さらに、灰皿を使用しない場合、灰皿を収納部に収納することで灰皿と外装カバーとを一体化させることができ、遊技機の外観を美しく見せることができる。
【００１１】
また、前記支持部材は、前記外装カバーと別体で形成されているので、灰皿が一体となって形成されている外装カバーに比べて、外装カバーの成形金型の構造を簡単にすることができ、これにより金型作製にかかる製造コストを大幅に削減することができる。
【００１２】
また、前記灰皿、及び前記支持部材の前記支持部のいずれか一方に回動軸を設け、他方に前記回動軸を軸支する軸受けを設けたので、低コストで且つ簡単な構造で灰皿を遊技機に取り付けることができ、さらに、簡単な操作を行うだけで灰皿を使用状態の位置と不使用状態の位置との間で移動させることができる。
【００１３】
また、前記灰皿は四方を側壁部で囲われた有底の略直方体形状をなし、この略直方体の上面に前記開口部が形成されて構成されるとともに、この略直方体形状の長手方向で対面する２つの側壁部にそれぞれ前記回動軸が前記長手方向の外方に向かって形成され、前記支持部材の前記カバー部は、前記灰皿の前記開口部と、前記長手方向で対面する２つの側壁部とを覆うように断面略コ字状部材で形成され、且つ前記カバー部の先端部に形成された前記支持部には、前記回動軸に対応する位置に前記軸受けが形成されているので、灰皿を使用不能状態にしたときに遊技機の外観を損ねることがない。また、灰皿を使用しない場合には、パチンコ機前方のスペースが空くので、そのスペースを有効利用することができる。さらに、灰皿を使用しない場合、灰皿を収納部に収納することで灰皿と外装カバーとを一体化させることができ、遊技機の外観を美しく見せることができる。
【発明を実施するための最良の形態】
【００１４】
以下、本発明の実施形態を図面に基づいて説明する。図１に遊技機であるパチンコ機の外観を示す。パチンコ機２の本体基部（遊技機本体）３の内部には遊技盤４が配設されており、遊技盤４上にはガイドレール５に囲まれた遊技領域４ａが形成されている。遊技盤４の前面には前面扉６が設けられている。前面扉６は上扉６ａと下扉６ｂとから構成されており、上扉６ａと下扉６ｂとはヒンジにより本体基部３に開閉自在に取り付けられている。下扉６ｂには、打球供給用の供給皿７及び、下扉６ｂの裏側に備えられたパチンコ球を発射するパチンコ球発射装置８（図４参照）を作動させるために操作する操作ハンドル９（操作部）が設けられている。操作ハンドル９は把手部９ａ、回動部９ｂ、及び軸部９ｃとから構成されている。把手部９ａは軸部９ｃの先端に固定されている。回動部９ｂは軸部９ｃに回動自在に取り付けられており、軸部９ｃを中心にして回動するように構成されている。遊技者は供給皿７にパチンコ球を投入し、例えば把手部９ａに手の平をあて、回動部９ｂを回動させて、遊技盤４上の遊技領域４ａに対してパチンコ球を打ち出す。パチンコ球を打ち出す強さは回動部９ｂの回動角度を変化させることによって調節される。
【００１５】
遊技盤４上に形成された遊技領域４ａの中央には、図柄表示装置１０が設けられ、その他に、始動入賞口１１、通常入賞口１２、アタッカ１３、アウト口１４が設けられている。なお、遊技領域４ａ内を流下するパチンコ球は、始動入賞口１１または通常入賞口１２またはアタッカ１３等の所定入賞口のいずれかに入賞するか、あるいはアウト口１４から回収される。なお、パチンコ機における釘、風車などの構造物は公知であるので説明は省略する。また、この遊技領域４ａは、上扉６ａが閉じている場合には、上扉６ａの後面側に取り付けられるガラス枠（不図示）のガラス１５を通して視認することができるが、この状態では遊技領域４ａに形成された構造物には触れることができないようになっている。
【００１６】
図１〜３、及び図５〜９に示すように、下扉６ｂの前面（外面）は、下扉６ｂの上下を２分するように２つの外装カバー１６、１７で構成されている。下扉６ｂの上部には、外装カバー１６が、供給皿７の前方にて供給皿７の前面を覆うように取り付けられている。また、外装カバー１６の下方、すなわち下扉６ｂの下部の前面には、外装カバー１７が取り付けられている。外装カバー１６には挿通穴１７ａが形成されており、操作ハンドル９の軸部９ｃは、挿通穴１７ａに挿入され、下扉６ｂの内部にて固定される。
【００１７】
下扉６ｂには灰皿１８が設けられている。図１０に示すように、下扉６ｂの外装カバー１７の正面視左側部には前方、後方、及び下方が開口された矩形状の切り欠き（収納部）１７ｂが形成されている。この切り欠き１７ｂには、灰皿１８を回動自在に支持する支持部材１９が設けられる。また、切り欠き１７ｂは支持部材１９が取り付け可能となるように支持部材１９よりもやや大きめに形成されている。
【００１８】
支持部材１９は、例えばフェノール樹脂などの難燃性の素材によって成形された成形品である。支持部材１９は、３つの側壁部１９ａ、１９ｂ、１９ｃと、側壁部１９ａ、１９ｂ、１９ｃのそれぞれの上端から内方へ屈曲し、且つ側壁部１９ｂの上端から側壁部１９ａの上端にかけて滑らかに下り傾斜している上壁部１９ｄとから構成されており、下方と前方とが開口されている。このように断面が略コ字形状となるように形成されることで、側壁部１９ａ、１９ｂ、及び上壁部１９ｄは、後述する灰皿１８の開口部１８ｆ、及び側壁部１８ｂ、１８ｄを覆うカバー部として機能する。
対面している側壁部１９ａ、１９ｂのそれぞれの先端部（前記略コ字形状における先端部）には、後述する灰皿１８の回動軸１８ｇが挿通され、回動軸１８ｇを回動自在に支持する軸受け穴（支持部）１９ｅが形成されている。
【００１９】
支持部材１９の外面は、切り欠き１７ｂの形状に対応するように形成されている。すなわち、支持部材１９の外面は、支持部材１９を切り欠き１７ｂに取り付けた際に、切り欠き１７ｂを覆うような形状に形成されている。また、支持部材１９の内面は、灰皿１８の形状に対応するように形成されており、灰皿１８が取り付けられるように灰皿１８よりもやや大きめに形成されている。また、支持部材１９の側壁部１９ｃの内面には斜め上方に突出するように係止片１９ｆが形成されている（図１１参照）。さらに支持部材１９には、側壁部１９ａの後端部の外面から外方へ垂直に延びた鍔部１９ｇと、上面部１９ｄの後端部の外面から外方へ垂直に延びた鍔部１９ｈとが設けられている。支持部材１９は、鍔部１９ｇ、１９ｈを介してネジなどにより下扉６ｂに固着される（不図示）。
【００２０】
灰皿１８は、四方を側壁部１８ａ、１８ｂ、１８ｃ、１８ｄとにより囲み、これら側壁部１８ａ〜１８ｄの両端部に形成された開口の一端を底壁部１８ｅで塞ぎ、上面に開口部１８ｆを有する略直方体形状の箱体となっている。そして、灰皿１８の内部は、タバコ２０（図１２参照）の灰などを受け入れる灰受け部１８ｇとなっている。側壁部１８ｂ、１８ｄのそれぞれの外面には、外方に向かって垂直に突出した回動軸１８ｈが設けられている。
また、側壁部１８ａ前面の上部には、灰皿１８の出し入れ時に摘み、灰皿１８を引き出し易くする摘み部１８ｉが形成されている。この摘み部１８ｉは側壁部１８ａの前面から突出するように形成されている。なお、摘み部１８ｉの形状は、凹状に切り欠いたものであっても良く、灰皿１８を取り出し易くする形状に形成されていればどのような形状であっても良い。
【００２１】
側壁部１８ａの外面は、支持部材１７に取り付けられている灰皿１８を収納し使用不可能な状態としたときに、外装カバー１７の外面と一連の壁面を形成するように構成されている。例えば、側壁部１８ａの外面の形状は、外装カバー１７の外面の形状と連続するように形成される。また、外装カバー１７の外面に模様が描かれている場合には、その模様が連続するように側壁部１８ａの外面にもその模様の一部が描かれる。
【００２２】
なお、本実施形態において、灰皿１８が使用可能である状態とは、灰皿１８の灰受け部１８ｇの少なくとも一部分が外部に露出してタバコ２０（図１２参照）の灰などを灰皿１８内に収納できる状態のことを示し、逆に、灰皿１８が使用不可能である状態とは、灰受け部１８ｇが露出せず、タバコ２０の灰を灰受け部１８ｇに入れることができない状態のことを示す。
【００２３】
また、本実施形態では、灰皿１８の使用を不可能にするために、すなわちタバコ２０の吸殻を灰皿１８内に入れさせないようにするために、切り欠き１７ｂに灰皿１８の灰受け部１８ｇが隠れるように、つまり、外観上面一となるまで完全に灰皿１８の灰受け部１８ｇが切り欠き１７ｂに収納されるように構成されている。
【００２４】
次に上記のように構成されたパチンコ機２の作用について説明する。外装カバー１７の切り欠き１７ｂに支持部材１９を設ける。そして支持部材１９の軸受け穴１９ｅに灰皿１８の回動軸１８ｇを挿通させる。灰皿１８を使用しない場合には、図１１に示すように、灰皿１８を外装カバー１７の切り欠き１７ｂに嵌め込み、灰皿１８を下扉６ｂ内に収納しておく。このようにすることで、灰皿１８の側壁部１８ａの外面と外装カバー１７の外面とで滑らかな一連の面を形成することができ、パチンコ機の外観を美しく見せることができる。
【００２５】
一方、灰皿１８を使用する場合には、図９及び図１２に示すように、摘み部１８ｉを摘んで灰皿１８を円弧矢印方向に回動させる。灰皿１８を回動させるとやがて側壁部１８ｃ下部の外面が係止片１９ｆに当接し、灰皿１８が係止片１９ｆによって係止され、灰皿１８の回動範囲が規制される。また、支持部材１９は難燃性の素材で成形されているので、灰受け部１８ｇに直接的にタバコ２０の火が当たっても、支持部材１９によってタバコ２０の火による熱伝導が抑止され、タバコ２０の火の熱によって引き起こされる可能性がある外装カバー１７やパチンコ機２を構成する各種部品への損傷を未然に防止することができる。
喫煙が終わったら、図１及び図１１に示すように、再び灰皿１８を収納することで、下扉６ｂの前方のスペースを空けることができ、灰皿１８を使用しない場合には、そのスペースを有効利用することができる。
【００２６】
上記実施形態では、灰皿１８を回動させることで、灰皿１８を使用する位置と使用しない位置との間で移動自在にしたが、これに限ることなく、灰皿１８を支持部材１９にスライド自在に取り付け、灰皿１８をスライドさせて出し入れするようにしても良い。
【００２７】
上記実施形態では、外装カバー１７に切り欠き１７ｂを形成し、この切り欠き１７ｂに支持部材１９を取り付けたが、これに限ることなく、例えば、外装カバー１７の場合と同様にして、外装カバー１６に切り欠きを形成し、この切り欠きにに支持部材１９ａを設け、灰皿１８の側壁面１８ａの外面が外装カバー１６の外面とともに一連の面を形成するように構成しても良い。この際、支持部材１９が供給皿７に接触しないように、支持部材１９を供給皿７と灰皿１８との間に介在させると好適である。これにより、供給皿７に灰皿１８に置かれるタバコの火の熱を伝わらないようにすることができ、供給皿７がタバコの火の熱によって損傷することを未然に防止することができる。
【００２８】
上記実施形態では、外装カバー１７の前方、及び下方が開口するように切り欠き１７ｂ形成したが、外装カバー１７の前面に凹部を形成し、この凹部に灰皿１８を設けるようにしても良い。この際、灰皿１８が外装カバー１７に接触しないように、支持部材１９を凹部と灰皿１８との間に介在させることが好ましい。これにより、タバコの火の熱によって引き起こされる可能性がある外装カバー１７への損傷を防止することができる。なお、凹部は、外装カバー１７に限ることなく、外装カバー１６に形成しても良い。
また、切り欠き１７ｂや前記凹部は、下扉６ｂであれば外装カバー１６、１７以外の箇所に形成することも可能である。この場合、灰皿１８を使用不能状態、すなわち灰皿１８を外装カバー１６、１７以外の下扉６ｂのいずれかの箇所に形成した切り欠き１７ｂや前記凹部に嵌め込んで収納したときに、灰皿１８の外面のうち外部に露呈される部分と、下扉６ｂの外面とで一連の面を形成するようにすれば良い。
【００２９】
上記実施形態では、前面扉６を構成している上扉６ａと下扉６ｂとのうち下扉６ｂに対して本発明を適用したが、上扉６ａと下扉６ｂとが一体となった前面扉６に対しても本発明を適用することは可能である。
【００３０】
上記実施形態ではパチンコ機を例に挙げて説明したが、本発明は、パチンコ機に限らず、スロットマシン等の全ての遊技機に対して適用することが可能である。
【図面の簡単な説明】
【００３１】
【図１】パチンコ機の外観を示す斜視図である。
【図２】遊技領域が形成されていない状態のパチンコ機の外観を示す斜視図である。
【図３】図２に示したパチンコ機の正面図である。
【図４】図２に示したパチンコ機の背面図である。
【図５】図２に示したパチンコ機の平面図である。
【図６】図２に示したパチンコ機の底面図である。
【図７】図２に示したパチンコ機の右側面図である。
【図８】図２に示したパチンコ機の左側面図である。
【図９】灰皿が使用状態にある場合のパチンコ機の外観を示す斜視図である。
【図１０】下扉の外観を示す斜視図である。
【図１１】灰皿の使用不能状態を示す断面図である。
【図１２】灰皿の使用可能状態を示す断面図である。
【符号の説明】
【００３２】
２    パチンコ機（遊技機）
３    本体基部（遊技機本体）
６    前面扉
６ａ    上扉
６ｂ    下扉
１６、１７    外装カバー
１７ｂ    切り欠き（収納部）
１８    灰皿
１８ｆ    開口部
１８ｈ    回動軸
１９    支持部材
１９ｄ    上壁部
１９ｅ    軸受け穴（支持部）
【図１】
2005160964.tif 000003
【図２】
2005160964.tif 000004
【図３】
2005160964.tif 000005
【図４】
2005160964.tif 000006
【図５】
2005160964.tif 000007
【図６】
2005160964.tif 000008
【図７】
2005160964.tif 000009
【図８】
2005160964.tif 000010
【図９】
2005160964.tif 000011
【図１０】
2005160964.tif 000012
【図１１】
2005160964.tif 000013
【図１２】
2005160964.tif 000014